【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
メディアプラットフォームが統合された特定のオンデマンドコンテンツプロバイダの資産を使用してコンテンツを配信するための方法であって、
前記メディアプラットフォームを介して、前記特定のオンデマンドコンテンツプロバイダに関連付けられたユーザアカウントを作成するステップと、
前記メディアプラットフォームを作動させるユーザ装置を介してオンデマンドコンテンツの取引を行うステップと、
購入したオンデマンドコンテンツの権利を前記メディアプラットフォームのデジタルロッカーに記録しおよび掲示するステップと、
を含む、前記方法。
【請求項２】
前記特定のオンデマンドコンテンツプロバイダのコーディネータに、購入したコンテンツの権利を記録しおよび掲示するステップをさらに含む、請求項１に記載の方法。
【請求項３】
前記メディアプラットフォームは前記特定のオンデマンドコンテンツプロバイダのコーディネータに関連付けられている、請求項１に記載の方法。
【請求項４】
前記メディアプラットフォームは前記特定のオンデマンドコンテンツプロバイダのプロトコルに準拠するように構成されている、請求項１に記載の方法。
【請求項５】
前記メディアプラットフォームの前記デジタルロッカーは、
コンテンツの権利をキャッシュし、
コンテンツの権利を検索しおよびフィルタリングし、
ＩＤマッピング／ＥＩＤＲを実行し、および
前記メディアプラットフォームを介して購入される前記特定のオンデマンドコンテンツプロバイダのコンテンツについて、前記メディアプラットフォームと、前記特定のオンデマンドコンテンツプロバイダのコーディネータと、に権利を格納する
ように構成される、請求項１に記載の方法。
【請求項６】
前記ユーザ装置を前記特定のオンデマンドコンテンツプロバイダに登録するステップをさらに含む、請求項１に記載の方法。
【請求項７】
前記メディアプラットフォームは、前記メディアプラットフォームがメディアプラットフォーム装置とインタフェースをとることを可能にするように構成されたアプリケーションプログラミングインターフェース（ＡＰＩ）を含む１つまたは複数のＡＰＩを含み、前記ＡＰＩは前記メディアプラットフォームのコアの一部である、請求項１に記載の方法。
【請求項８】
前記１つまたは複数のＡＰＩは、前記メディアプラットフォームが、準拠する特定のオンデマンドコンテンツプロバイダ装置とインタフェースをとることを可能にするように構成されるＡＰＩを含む、請求項７に記載の方法。
【請求項９】
メディアプラットフォームが統合された特定のオンデマンドコンテンツプロバイダの資産を使用して装置へのオンデマンドコンテンツの配信をコントロールする方法のステップを実行するための、コンピュータにより実行可能な命令を具体化した、非一時的なコンピュータ可読記憶媒体上に記憶されるコンピュータプログラムであって、前記方法は
前記メディアプラットフォームを介して、前記特定のオンデマンドコンテンツプロバイダに関連付けられたユーザアカウントを作成するステップと、
前記メディアプラットフォームを作動させるユーザ装置を介してオンデマンドコンテンツの取引を行うステップと、
購入したオンデマンドコンテンツの権利を前記メディアプラットフォームのデジタルロッカーに記録しおよび掲示するステップと、
を含む、前記コンピュータプログラム。
【請求項１０】
前記特定のオンデマンドコンテンツプロバイダのコーディネータに、購入したコンテンツの権利を記録しおよび掲示するステップをさらに含む、請求項９に記載のコンピュータプログラム。
【請求項１１】
前記メディアプラットフォームは前記特定のオンデマンドコンテンツプロバイダのコーディネータに関連付けられている、請求項９に記載のコンピュータプログラム。
【請求項１２】
前記メディアプラットフォームは前記特定のオンデマンドコンテンツプロバイダのプロトコルに準拠するように構成されている、請求項９に記載のコンピュータプログラム。
【請求項１３】
前記メディアプラットフォームの前記デジタルロッカーは、
コンテンツの権利をキャッシュし、
コンテンツの権利を検索しおよびフィルタリングし、
ＩＤマッピング／ＥＩＤＲを実行し、および
前記メディアプラットフォームを介して購入される前記特定のオンデマンドコンテンツプロバイダのコンテンツについて、前記メディアプラットフォームと、前記特定のオンデマンドコンテンツプロバイダのコーディネータと、に権利を格納する
ように構成される、請求項９に記載のコンピュータプログラム。
【請求項１４】
前記ユーザ装置を前記特定のオンデマンドコンテンツプロバイダに登録するステップをさらに含む、請求項９に記載のコンピュータプログラム。
【請求項１５】
前記メディアプラットフォームは、前記メディアプラットフォームがメディアプラットフォーム装置とインタフェースをとることを可能にするように構成されたアプリケーションプログラミングインターフェース（ＡＰＩ）を含む１つまたは複数のＡＰＩを含み、前記ＡＰＩは前記メディアプラットフォームのコアの一部である、請求項９に記載のコンピュータプログラム。
【請求項１６】
前記１つまたは複数のＡＰＩは、前記メディアプラットフォームが、準拠する特定のオンデマンドコンテンツプロバイダ装置とインタフェースをとることを可能にするように構成される、請求項１５に記載のコンピュータプログラム。
【請求項１７】
前記特定のオンデマンドコンテンツプロバイダに関連付けられた前記ユーザアカウントを、前記メディアプラットフォームに関連付けられたユーザアカウントに関連付けるステップをさらに含む、請求項１に記載の方法。
【請求項１８】
さらなるユーザ装置を、前記特定のオンデマンドコンテンツプロバイダに関連付けられた前記ユーザアカウントに関連付けるステップをさらに含む、請求項１に記載の方法。
【請求項１９】
前記特定のオンデマンドコンテンツプロバイダに関連付けられたユーザアカウントを、前記メディアプラットフォームに関連付けられたユーザアカウントに関連付けるステップをさらに含む、請求項９に記載のコンピュータプログラム。
【請求項２０】
さらなるユーザ装置を、前記特定のオンデマンドコンテンツプロバイダに関連付けられた前記ユーザアカウントに関連付けるステップをさらに含む、請求項９に記載のコンピュータプログラム。
【手続補正２】
【補正対象書類名】明細書
【補正対象項目名】００７２
【補正方法】変更
【補正の内容】
【００７２】
本開示の技術を組み込む実施形態が本明細書において詳細に示されかつ記載されたが、当業者は、これらの技術をさらに組み込む、多くの他の変形実施形態を容易に考案することができる。特定のコンテンツプロバイダのオンデマンド資産を使用した、メディアコンテンツ配信のための方法および装置の好ましい実施形態を記載したが（制限ではなく例示が意図される）、修正および変形が、上記の技術に照らして当業者により可能であることは留意されたい。従って、添付の請求項において概説されるような開示の範囲内にある、開示された開示の特定の実施形態において、変更がなされてよいことは理解されるであろう。
本発明は以下の態様を含む。
（付記１）
特定のオンデマンドコンテンツプロバイダの資産を使用してコンテンツを配信するための方法であって、
ユーザのメディアプラットフォームを特定のオンデマンドコンテンツプロバイダと統合するステップと、
前記ユーザのメディアプラットフォームを介して、前記特定のオンデマンドコンテンツプロバイダによりユーザアカウントを作成するステップと、
前記特定のオンデマンドコンテンツプロバイダに前記ユーザのメディアプラットフォームをリンクして関連付けるステップと、
ユーザのメディアプラットフォームを作動させるユーザ装置を介してオンデマンドコンテンツの取引を行うステップと、
購入したオンデマンドコンテンツの権利を前記メディアプラットフォームのデジタルロッカーに記録しおよび掲示するステップと、
を含む、前記方法。
（付記２）
前記記録するステップが、前記特定のオンデマンドコンテンツプロバイダのコーディネータに、購入したコンテンツの権利を記録しおよび掲示するステップをさらに含む、付記１に記載の方法。
（付記３）
前記リンクして関連付けるステップが、前記ユーザのメディアプラットフォームを前記特定のオンデマンドコンテンツプロバイダのコーディネータに関連付けるステップをさらに含む、付記２に記載の方法。
（付記４）
前記統合するステップが、前記メディアプラットフォームを前記特定のオンデマンドコンテンツプロバイダのプロトコルに準拠するべく構成するステップをさらに含む、付記１に記載の方法。
（付記５）
前記構成するステップが、
コンテンツの権利をキャッシュする、
コンテンツの権利を検索しおよびフィルタリングする、
ＩＤマッピング／ＥＩＤＲを実行する、
メディアプラットフォームを介して購入される全てのコンテンツについて、ユーザのメディアプラットフォームと、特定のオンデマンドコンテンツプロバイダのコーディネータと、に同時発生の権利を格納する、
というタスクを前記メディアプラットフォームのデジタルロッカーに実行可能にさせるステップをさらに含む、付記４に記載の方法。
（付記６）
前記リンクするステップが、特定のユーザ装置を前記特定のオンデマンドコンテンツプロバイダに登録するステップをさらに含む、付記１に記載の方法。
（付記７）
前記統合するステップが、前記メディアプラットフォームおよび前記特定のオンデマンドコンテンツプロバイダについて、別個のアプリケーションプログラミングインターフェース（ＡＰＩ）を確立するステップであって、前記アプリケーションプログラミングインターフェースは前記メディアプラットフォームのコアの一部である、前記ステップをさらに含む、付記１に記載の方法。
（付記８）
前記特定のオンデマンドコンテンツプロバイダについての前記別個のアプリケーションプログラミングインターフェースは、前記メディアプラットフォームのアプリケーションプログラミングインターフェースに埋め込まれ、かつ、前記メディアプラットフォームに対してメディアプラットフォーム装置および準拠する特定のオンデマンドコンテンツプロバイダ装置の両方と通信させるように構成される、付記７に記載の方法。
（付記９）
コンピュータにより実行可能な命令を具体化して、装置へのオンデマンドコンテンツの配信をコントロールする方法のステップを実行する、非一時的なコンピュータ可読記憶媒体上に記憶されるコンピュータプログラムであって、前記方法のステップが
ユーザのメディアプラットフォームを特定のオンデマンドコンテンツプロバイダと統合するステップと、
前記ユーザのメディアプラットフォームを介して、前記特定のオンデマンドコンテンツプロバイダによりユーザアカウントを作成するステップと、
前記特定のオンデマンドコンテンツプロバイダに前記ユーザのメディアプラットフォームをリンクして関連付けるステップと、
ユーザのメディアプラットフォームを作動させるユーザ装置を介してオンデマンドコンテンツの取引を行うステップと、
購入したオンデマンドコンテンツの権利を前記メディアプラットフォームのデジタルロッカーに記録しおよび掲示するステップと、
を含む、前記コンピュータプログラム。
（付記１０）
前記特定のオンデマンドコンテンツプロバイダのコーディネータに、購入したコンテンツの権利を記録しおよび掲示するステップをさらに含む、付記９に記載のコンピュータプログラム。
（付記１１）
前記リンクして関連付けるステップが、前記ユーザのメディアプラットフォームを前記特定のオンデマンドコンテンツプロバイダのコーディネータに関連付けるステップをさらに含む、付記９に記載のコンピュータプログラム。
（付記１２）
前記統合するステップが、前記メディアプラットフォームを前記特定のオンデマンドコンテンツプロバイダのプロトコルに準拠するべく構成するステップをさらに含む、付記９に記載のコンピュータプログラム。
（付記１３）
前記構成するステップが、
コンテンツの権利をキャッシュする、
コンテンツの権利を検索しおよびフィルタリングする、
ＩＤマッピング／ＥＩＤＲを実行する、および
メディアプラットフォームを介して購入される全てのコンテンツについて、ユーザのメディアプラットフォームと、特定のオンデマンドコンテンツプロバイダのコーディネータと、に同時発生の権利を格納する、
というタスクを実行させるべく前記メディアプラットフォームのデジタルロッカーを構成するステップをさらに含む、付記１２に記載のコンピュータプログラム。
（付記１４）
前記リンクするステップが、特定のユーザ装置を前記特定のオンデマンドコンテンツプロバイダに登録するステップをさらに含む、付記９に記載のコンピュータプログラム。
（付記１５）
前記統合するステップが、前記メディアプラットフォームおよび前記特定のオンデマンドコンテンツプロバイダについて、別個のアプリケーションプログラミングインターフェース（ＡＰＩ）を確立するステップであって、前記アプリケーションプログラミングインターフェースは前記メディアプラットフォームのコアの一部である、前記ステップをさらに含む、付記９に記載のコンピュータプログラム。
（付記１６）
前記特定のオンデマンドコンテンツプロバイダについての前記別個のアプリケーションプログラミングインターフェースが、前記メディアプラットフォームのアプリケーションプログラミングインターフェースに埋め込まれ、かつ、前記メディアプラットフォームに対してメディアプラットフォーム装置および準拠する特定のオンデマンドコンテンツプロバイダ装置の両方と通信させるように構成される、付記１５に記載のコンピュータプログラム。